(57)【要約】シグナリング割り当て方法及びその装置。  本発明は、同期化されたマルチメディア・ブロードキャスト／マルチキャスト送信に適応される移動通信システムの第１の基地局におけるシグナリング方法であって、第１の基地局は無線端末へ送信し、移動通信システムは第１の基地局の周辺の一組の基地局を更に備え、ブロードキャストチャネル上の一組の基地局を記述する信号を少なくとも１つの無線端末へ第１の基地局によって送信するステップを備える方法を提供する。更に、信号の第１のビットは、第１の基地局内のラジオフレーム当たりの同期化されたサブフレームの第１のサブフレーム割り当てパターンが、一組の基地局の全ての基地局のためのラジオフレーム当たりの第２の同期化されたサブフレームのサブフレーム割り当てパターンと等しいか否かを示す。第１の基地局の周辺の一組の基地局は無線端末へ送信を始めるための候補である。
2011525345.tif 000002
【特許請求の範囲】
【請求項１】
同期化されたマルチメディア・ブロードキャスト／マルチキャスト送信に適応される移動通信システム（１００）の第１の基地局（１０１）におけるシグナリング方法であって、前記第１の基地局（１０１）は無線端末（１０２）へ送信し、前記移動通信システム（１００）は前記第１の基地局（１０１）の周辺の一組の基地局（１０３〜１０６）を更に備える方法において、
前記第１の基地局（１０１）によってブロードキャストチャネル上の前記一組の基地局（１０３〜１０６）を記述する信号（１０７）を前記無線端末（１０２）に送信するステップ
を備え、
前記信号（１０７）の第１のビットは、前記第１の基地局（１０１）内のラジオフレーム当たりの同期化されたサブフレームの第１のサブフレーム割り当てパターンが、前記一組の基地局の全ての基地局（１０３〜１０６）のためのラジオフレーム当たりの同期化されたサブフレームの第２のサブフレーム割り当てパターンと等しいか否かを示し、
前記第１の基地局（１０１）の周辺の前記一組の基地局（１０３〜１０６）は前記無線端末（１０２）へ送信を始めるための候補である、
方法。
【請求項２】
請求項１記載の方法であって、前記同期化されたサブフレームは前記同期化されたマルチメディア・ブロードキャスト／マルチキャスト送信のデータを有する、方法。
【請求項３】
請求項１又は２記載の方法であって、
前記第１のサブフレーム割り当てパターンが前記第２のサブフレーム割り当てパターンと等しいことを前記第１のビットが示す場合、前記第１のサブフレーム割り当てパターンに従って同期化された全てのラジオフレームのサブフレームを除外することで、前記無線端末（１０２）によって前記一組の基地局（１０３〜１０６）のチャネル品質の第１の測定を開始するステップ
を更に備える方法。
【請求項４】
請求項１乃至３のいずれか１項に記載の方法であって、前記信号（１０７）の第２のビットは、前記第１の基地局（１０１）内の前記第１のサブフレーム割り当てパターンを備えるラジオフレームの第１のラジオフレーム割り当てパターンが、前記一組の基地局の全ての基地局（１０３〜１０６）のための任意のサブフレーム割り当てパターンを伴うラジオフレームの第２のラジオフレーム割り当てパターンと等しいか否かを示し、前記第１及び第２のラジオフレーム割り当てパターンは事前決定された反復周期内に生じる、方法。
【請求項５】
請求項１乃至４のいずれか１項に記載の方法であって、
前記第１のサブフレーム割り当てパターンが前記第２のサブフレーム割り当てパターンと等しいことを前記第１のビットが示す場合、及び前記第１のラジオフレーム割り当てパターンが前記第２のラジオフレーム割り当てパターンと等しいことを前記第２のビットが示す場合、全ての同期化されたサブフレームを除外することで、前記無線端末（１０２）によって前記チャネル品質の第２の測定を開始するステップ
を更に備える方法。
【請求項６】
基地局（１０３）が無線端末（１０２）へ送信する、同期化されたマルチメディア・ブロードキャスト／マルチキャスト送信に適応される移動通信システム（１００）の前記基地局（１０３）におけるリソース割り当てシグナリング方法であって、
前記基地局（１０３）によって前記無線端末（１０２）へ第１の信号情報ブロック（２０１）を定期的に送信する前記第１の信号情報ブロック（２０１）が、ラジオフレーム当たりの同期化されたサブフレームのサブフレーム割り当てパターン上に情報を備える、ステップ、及び
前記無線端末（１０２）へ前記基地局（１０３）によって第２の信号情報ブロック（２０２）を定期的に送信するステップ
を備え、
前記第１の信号情報ブロック（２０１）は前記第２の信号情報ブロック（２０２）よりも頻繁に定期的に送信され、
前記第２の信号情報ブロック（２０２）は事前決定された反復周期内に同期化されたサブフレームを載せるラジオフレームの割り当てパターンの情報を備え、前記同期化されたサブフレームは前記第１の情報ブロックの情報に従って前記ラジオフレーム内に割り当てられる、方法。
【請求項７】
請求項６記載の方法であって、
前記第１の信号情報ブロック（２０１）によって送信される情報に従って同期化された全てのラジオフレームのサブフレームを除外することで、前記無線端末（１０２）によってチャネル品質の測定を開始するステップ
を更に備える方法。
【請求項８】
請求項６又は７記載の方法であって、前記第２の信号情報ブロック（２０２）の前記定期的送信はラジオフレームの前記事前決定された反復周期と等しい方法。
【請求項９】
請求項６乃至８のいずれか１項に記載の方法であって、同期化されたサブフレームが指定されないことを前記第１の情報ブロック（２０１）が示す場合、前記第２の情報ブロック（２０２）は送信されない、方法。
【請求項１０】
請求項６乃至９のいずれか１項に記載の方法であって、前記第２の信号情報ブロック（２０２）の各ビットは各ラジオフレームのための同期化されたサブフレームの割り当てを示す方法。
【請求項１１】
請求項６乃至１０のいずれか１項に記載の方法であって、前記基地局（１０３）は請求項１記載の前記一組の周辺の基地局（１０３〜１０６）の部分である、方法。
【請求項１２】
請求項１乃至５のいずれか１項に従って実行するように作動可能である、移動通信システムのための基地局（１０１）。
【請求項１３】
請求項６乃至１０のいずれか１項に従って実行するように作動可能である、移動通信システムのための基地局（１０３）。
【請求項１４】
記憶媒体に保存されるコンピュータプログラム製品（１０８）であって、基地局上でプログラムが実行される場合に、前記基地局に請求項１乃至５のいずれか１項に記載の方法を実行させるための実行可能プログラム手段を備えるコンピュータプログラム製品（１０８）。
【請求項１５】
記憶媒体に保存されるコンピュータプログラム製品（２０３）であって、基地局上でプログラムが実行される場合に、前記基地局に請求項６乃至１０のいずれか１項に記載の方法を実行させるための実行可能プログラム手段を備えるコンピュータプログラム製品（２０３）。
【発明の詳細な説明】
【技術分野】
【０００１】
本発明は、移動通信システム内のリソース割り当てシグナリングの方法、基地局、及びコンピュータプログラム製品に関する。
【背景技術】
【０００２】
無線広帯域通信ネットワークの無線端末とネットワーク要素との間の接続は、一般にエアーインターフェースを介して構築される。エアーインターフェースは、ＩＥＥＥ  ８０２．１６又はロングタームエボリューション（ＬＴＥ）規格に準拠する無線広帯域システムであり得る。ユニキャスト通信と異なり、広帯域無線システムはまた、無線端末へマルチキャスト及びブロードキャストサービスを提供できる。ブロードキャスティングモードは、ブロードキャストチャネルか、又は異なるワールドルーティング方法のいずれかを使用して、ネットワーク容量を輻輳させることなく、全ての宛先へ情報を送るようなネットワーク容量を使用する。マルチキャストモードはネットワークの各リンク上に一度だけメッセージを配信し、宛先へのリンクが分かれている場合にのみ、コピーを生成して、パケットを宛先の一団へ同時に送信するので、より制御される手法がマルチキャストモードを使用して達成される。
【０００３】
無線端末は、マルチキャスト及びブロードキャストゾーン内で、いくつかの基地局の送信機からの同じパケット又はフレームのいくつかのバージョンを受信できる。これは、例えば、マルチメディア・ブロードキャスト及びマルチキャストサービスに使用できる。端末はマクロダイバーシチの原理を使用し、従って、信号の受信品質を向上する複数のパケットを活用できる。これと関連して、端末はリファレンスシンボルの測定を正しく実行するために、どのリソース実体が同期化されているか、及びどれが同期化されていないかを常に識別する必要がある。
【０００４】
従って、基地局及びコンピュータプログラム製品に対する、移動通信システム内のリソース割り当てシグナリング方法が必要である。
【発明の概要】
【０００５】
本発明は、同期化されたマルチメディア・ブロードキャスト／マルチキャスト送信に適応される移動通信システムの第１の基地局におけるシグナリング方法であって、第１の基地局は無線端末へ送信し、移動通信システムは第１の基地局の周辺の一組の基地局を更に備え、方法は、ブロードキャストチャネル上の一組の基地局を記述する信号を少なくとも１つの無線端末へ第１の基地局によって送信するステップを備える方法を提供する。更に、信号の第１のビットは、第１の基地局内のラジオフレーム当たりの同期化されたサブフレームの第１のサブフレーム割り当てパターンが、一組の基地局の全ての基地局のためのラジオフレーム当たりの同期化されたサブフレームの第２のサブフレーム割り当てパターンと等しいか否かを示す。第１の基地局の周辺の一組の基地局は、無線端末へ通信を始めるための候補である。
【０００６】
本発明の実施形態は、無線端末が、セル又はサービスエリア内に入る前に周辺の基地局に関する情報を受信することで優位である。情報は、第１の基地局の割り当てと比べて、周辺の全てのセルがラジオフレーム当たりの同期化されたサブフレームの厳密に同じサブフレーム割り当てパターンを有するか否かを記述する。サブフレーム割り当てパターンが一致する場合、周辺の基地局がサブフレーム割り当てパターンの情報を提供する前に、無線端末は測定の実施を増やして、より正確な測定を開始できる。第１の基地局は同期化されたサブフレームを無線端末へ送信する一組の基地局の一部であり得る。
【０００７】
本発明の実施形態において、同期化されたサブフレームは同期化されたマルチメディア・ブロードキャスト／マルチキャスト送信のデータを持つ。
【０００８】
本発明の実施形態は、第１のサブフレーム割り当てパターンが第２のサブフレーム割り当てパターンと等しいことを第１のビットが示す場合、第１のサブフレーム割り当てパターンに従って全てのラジオフレームの同期化されたサブフレームを除外することで、無線端末によって一組の基地局のチャネル品質の第１の測定を開始するステップを更に備える。それによって、無線端末は、ラジオフレーム割り当てパターンに関する情報を有さずとも、サブフレーム割り当てパターンが同じである場合、より正確な測定を開始できる。
【０００９】
本発明の実施形態において、信号の第２のビットは、第１の基地局内の第１のサブフレーム割り当てパターンを備えるラジオフレームの第１のラジオフレーム割り当てパターンが、一組の基地局の全ての基地局のための任意のサブフレーム割り当てパターンを伴うラジオフレームの第２のラジオフレーム割り当てパターンと等しいか否かを示す。第１及び第２のラジオフレーム割り当てパターンは事前決定された反復周期内に生じる。信号の第２のビットは、同期化されたサブフレームを割り当てるのに適切である反復周期内のラジオフレーム割り当て内の差異を示す。
【００１０】
本発明の実施形態は、第１のサブフレーム割り当てパターンが第２のサブフレーム割り当てパターンと等しいことを第１のビットが示す場合、及び第１のラジオフレーム割り当てパターンが第２のラジオフレーム割り当てパターンと等しいことを第２のビットが示す場合、全ての同期化されたサブフレームを除外することで、無線端末によってチャネル品質の第２の測定を開始するステップを更に備える。第１及び第２のビットが割り当てパターンにおける一致を示す場合、無線端末は全てのラジオフレーム上の全ての同期化されたサブフレームの厳密な割り当てを識別するので、より多量のサブフレーム上のチャネル品質を正確に測定できる。
【００１１】
他の一態様において、本発明は、第１の基地局が無線端末へ送信する、同期化されたマルチメディア・ブロードキャスト／マルチキャスト送信に適応される移動通信システムの第１の基地局におけるリソース割り当てシグナリング方法に関する。その方法は、
一組の周辺の基地局の第１の基地局によって無線端末へ第１の信号情報ブロックを定期的に送信する、第１の信号情報ブロックが、ラジオフレーム当たりの同期化されたサブフレームのサブフレーム割り当てパターン上に情報を備える、ステップ、及び
無線端末へ第１の基地局によって第２の信号情報ブロックを定期的に送信するステップ
を備える。
【００１２】
第１の信号情報ブロックは第２の信号情報ブロックよりも頻繁に定期的に送信される。第２の信号情報ブロックは、事前決定された反復周期内に同期化されたサブフレームを載せるラジオフレームの割り当てパターンの情報を備える。同期化されたサブフレームは、第１の情報ブロックの情報に従ってラジオフレーム内に割り当てられる。第１の信号情報ブロックをより頻繁に送信することによって、無線端末は、フレーム割り当てパターンの詳細な情報を有しなくとも、より正確な測定を開始するために必要な情報をすばやく受信する。
【００１３】
本発明の実施形態は、第１の信号情報ブロックによって送信される情報に従って同期化された全てのラジオフレームのサブフレームを除外することで、無線端末によってチャネル品質の測定を開始するステップを更に備える。
【００１４】
本発明の実施形態において、第２の信号情報ブロックの定期的送信はラジオフレームの事前決定された反復周期と等しい。
【００１５】
本発明の実施形態において、同期化されたサブフレームが指定されないことを第１の情報ブロックが示す場合、第２の情報ブロックは送信されない。更に、第２の信号情報ブロックの各ビットは、一対のラジオフレームのための同期化されたサブフレームの割り当てを示す。
【００１６】
本発明の実施形態において、第１の基地局は請求項１記載の一組の周辺の基地局の部分である。
【００１７】
他の一態様において、本発明は、上記の実施形態のいずれか１つに従って実行するように作動可能である移動通信システムのための基地局に関する。
【００１８】
他の一態様において、本発明は、記憶媒体に保存されるコンピュータプログラム製品であって、基地局上でプログラムが実行される場合に、基地局に上記の実施形態のいずれか１つによる方法を実行させるための実行可能プログラム手段を備えるコンピュータプログラム製品に関する。
【００１９】
本発明の好ましい実施形態は、図面を参照にして専ら例示として以下に一層詳細に説明されるだろう。
【図面の簡単な説明】
【００２０】
【図１】シグナリング方法の第１のブロック図である。
【図２】他の一シグナリング割り当て方法の第２のブロック図である。
【図３】一組のフレーム及びサブフレームの例示図である。
【図４】一組のフレーム及びそれらの対応するサブフレームの他の一例示図である。
【図５】シグナリング方法の流れ図である。
【図６】シグナリング割り当て方法の流れ図である。
【発明を実施するための形態】
【００２１】
図１は、無線端末１０２へ送信する第１の基地局１０１を含む移動通信システム１００を表す。移動通信システム１００は更に一組の周辺の基地局１０３から１０６を備える。少なくとも１つの移動通信システムの基地局は同期化されたマルチメディア・ブロードキャスト／マルチキャスト送信に適応される。
【００２２】
第１の基地局１０１は、ブロードキャストチャネル上に一組の周辺の基地局１０３から１０６の記述を持つ信号１０７を送信するように適応される。信号１０７は、第１の基地局１０１内のラジオフレーム上の同期化されたサブフレームのサブフレーム割り当てパターンが、一組の周辺の基地局１０３から１０６の全ての基地局のためのラジオフレーム当たりの同期化されたサブフレームのサブフレーム割り当てパターンと同じであるか否かを示す第１のビットを持つ。第１の基地局の周辺の各々の基地局のサブフレーム割り当てパターンが第１の基地局１０１のサブフレーム割り当てパターンと等しい場合、第１の基地局から周辺の基地局へスイッチングする際、無線端末１０２は、サブフレーム割り当てパターンに従って同期化されていないサブフレームの測定を開始することが可能である。これは、無線端末１０２が第１の基地局１０１のサブフレーム割り当てパターンを感知するようにして可能である。同期化されたサブフレームは、同期化されたマルチメディア・ブロードキャスト／マルチキャスト送信のデータを持つことができる。
【００２３】
信号１０７は、一組の周辺の基地局１０３から１０６の全ての基地局のためのサブフレーム割り当てパターンにかかわらず、第１の基地局１０１での事前決定されたフレーム反復周期内のサブフレーム割り当てパターンを持つラジオフレームのラジオフレーム割り当てパターンが、ラジオフレームのフレーム割り当てパターンと同じであるか否かを示す第２のビットを持つことができる。第２のビットは、事前決定された反復周期内のラジオフレームが、通常は同期化されたマルチメディア・ブロードキャスト／マルチキャストサービスを載せる同期化されたサブフレームを持つのに適切であることを示す。
【００２４】
第２のビットは、ラジオフレーム内の同期化されたサブフレームの内部割り当てパターンにかかわらず、反復周期内のラジオフレームの割り当てパターンを比較するので、巨視的差異のインジケータとして知られ得る。他方で、第１のビットは同期化されたサブフレームを載せるのに適切であるラジオフレームのサブフレームの割り当てパターンを示す。第１のビットは、ラジオフレームが同期化されたサブフレームを持つように指定されているか否かにかかわらず、ラジオフレームの同期化されたサブフレームの割り当てパターンに関する情報を専ら持つので、微視的差異のインジケータとも呼ばれ得る。
【００２５】
無線端末が、第１及び第２のビットを伴う信号１０７を受信し、一組の周辺の基地局１０３から１０６の巨視的割り当てパターン及び微視的割り当てパターンが、第１の基地局１０１からの送信に見つけられる同じパターンを共有することを両方のビットが示す場合、無線端末１０２は、厳密に全ての同期化されていないサブフレームの測定を開始できる。これは、どのサブフレームが送信周期内で同期化されているかを示す、周辺の基地局からのシグナリングを待つことを要求しないため、正確で迅速な測定の開始を可能にする。第１の基地局１０１は、記述されたステップを基地局に実行させるためのコンピュータプログラム製品１０８を含むことができる。
【００２６】
図２は第１の基地局１０１を含む移動通信システム１００を表し、無線端末１０２は、一組の周辺の基地局１０３から１０６の基地局１０３からのデータを受信する。無線端末１０２は、第１の基地局と周辺の基地局１０３との間の再選択プロセス又はハンドオーバの結果として、周辺の基地局１０３との通信を始める。
【００２７】
周辺の基地局１０３は無線端末へ第１の信号情報ブロック２０１を定期的に送信する。第１の信号情報ブロック２０１は、あらゆるラジオフレームのための同期化されたサブフレームのサブフレーム割り当てパターンを記述する情報を含む。この情報は、同期化されたサブフレームを載せるのに適切なラジオフレーム内の同期化されたサブフレームの位置を記述する。周辺の基地局１０３は、更に、事前決定された反復周期の間、同期化されたサブフレームを載せるラジオフレームの割り当てパターンを記述する情報を持つ第２の信号情報ブロック２０２を送信する。第２の信号情報ブロックは、その反復周期内のどのラジオフレームが、同期化されたサブフレームを含み得るかを無線端末に通知する。
【００２８】
同期化されたサブフレームを載せるフレームは第１の情報ブロックの情報に従ってこれらの同期化されたサブフレームを割り当てる。第１の情報ブロックは第２の情報ブロックよりも頻繁に送信される。より頻繁に第１の情報ブロックが送信される際、無線端末１０２は既にラジオフレームのために同期化されたサブフレームの割り当てパターンの厳密な構成を受信しているので、素早くチャネル品質に関するより正確な測定を開始できる。
【００２９】
第２の信号情報ブロックの定期的送信は、ラジオフレームの事前決定された反復周期に類似か、又はそれと同等であり得る。同期化されたサブフレームがどのラジオフレームにも指定されないことを第１の情報ブロックが示す場合において、第２の情報ブロックは任意で送信されない。更に、第２の信号情報ブロックは、あらゆるラジオフレームのための同期化されたサブフレームの割り当てに関する情報を持つ。第２の信号情報ブロックの各ビットは、各ラジオフレームのためのサブフレームの割り当てを示すことができる。代替的に、第２の信号情報ブロックの各ビットは、一対のラジオフレームのためのサブフレームの割り当てを示すことができる。基地局１０３は、記述されたステップを基地局に実行させるためのコンピュータプログラム製品２０３を含むことができる。
【００３０】
図３は、フレームの各ブロックのための４つのラジオフレームを備える３つのブロックのラジオフレーム３０１から３０３を表す。４つのラジオフレームはラジオフレームの事前決定された反復周期に対応する。ラジオフレーム３０１のブロックは図１及び２の第１の基地局によって送信されるブロックに対応し、ブロック３０２及び３０３は先の図に記述された周辺の基地局に対応する。
【００３１】
ブロック３０１のラジオフレームのサブフレーム割り当てパターンは、サブフレーム位置２及び３に同期化されたサブフレームを割り当てる第１の基地局１０１に対応する。ブロック３０１のラジオフレームに対応するラジオフレーム割り当てパターンは、ラジオフレーム位置１及び４に同期化されたサブフレームを割り当てる。ラジオフレーム３０２のブロックを送信する第１の周辺の基地局において、同期化されたサブフレームは、サブフレーム位置２及び３に割り当てられる際、サブフレーム割り当てパターンは第１の基地局の割り当てパターンと同等である。これは、第３のラジオフレームブロック３０３についても同じである。全ての周辺の基地局が、このパターン割り当てによってラジオフレーム内にそれらのサブフレームを割り当てる場合、第１のビットは、このパターン割り当てを無線端末１０２に示す。
【００３２】
ブロック３０１から３０３に表示されるフレームを割り当てパターンとして、ラジオフレーム割り当てパターンが、第１の基地局と周辺の基地局との間で比較される場合、全ての３つのブロックは異なるラジオフレームパターンを有する。第１の基地局１０１において、対応するブロック３０１はラジオフレーム１及び４のためのラジオフレーム割り当てパターンを有し、対応するラジオフレームブロック３０２を伴う周辺の基地局はラジオフレーム２及び４を使用するラジオフレーム割り当てパターンを有する。同様に、ブロック３０３を送信する他の一周辺の基地局は同期化されたサブフレームを送信するためにラジオフレーム１及び２を使用する。従って、ラジオフレーム割り当てパターンを比較する第２の信号は、フレーム割り当てパターンが第１の基地局と周辺の基地局との間で異なることを無線端末に示す。
【００３３】
図４は、第１のブロック４０１が第１の基地局１０１によって送信されるラジオフレームに対応し、ブロック４０２及び４０３が周辺の基地局によって送信されるブロックに対応するラジオフレーム４０１、４０２及び４０３の３つのブロックを表す。
【００３４】
ラジオフレーム４０１の第１のブロックは、ラジオフレーム位置１及び３に同期化されたサブフレームを持つラジオフレームのラジオフレーム割り当てパターンを備える。ラジオフレーム割り当ては、同期化されたサブフレーム割り当てるのに適切なラジオフレームを備える。周辺の基地局４０２及び４０３はまた、ラジオフレーム位置１及び３を使用するラジオフレーム割り当てパターンを含む。従って、信号１０７のラジオフレーム割り当てパターンを示す第２の信号は、巨視的割り当てパターンが第１の基地局及び全ての周辺の基地局について同じであることを示すだろう。
【００３５】
サブフレームレベルで、同期化されたサブフレームを持つラジオフレームのためのサブフレーム割り当てパターンが比較される場合、ブロック４０１を送信する第１の基地局はブロック４０２及び４０３を送信する周辺の基地局と異なる。第１の基地局はサブフレーム位置２及び４に同期化されたサブフレームを割り当て、１つの周辺の基地局はサブフレーム位置１及び５に同期化されたサブフレームを割り当て、他の周辺の基地局はサブフレーム位置２及び３に同期化されたサブフレームを割り当てる。従って、第１のビット信号はサブフレーム割り当てパターンとの間の差異を示す。このようにして、図４の例では、第１のビットはサブフレーム割り当てパターン内の差異を示し、第２のビットはラジオフレーム割り当てパターン内の差異を示す。
【００３６】
図５は、同期化されたマルチメディア・ブロードキャスト／マルチキャスト送信に適応される第１の基地局におけるシグナリング方法の流れ図を表す。その方法において、第１のステップ５０１で、第１の基地局は少なくとも１つの無線端末へ、ブロードキャストチャネル上で第１の基地局の周辺の一組の基地局を記述する信号を送信する。信号において、第１のビットは、第１の基地局におけるラジオフレーム当たりの同期化されたサブフレームの第１のサブフレーム割り当てパターンが、一組の基地局の全ての基地局のためのラジオフレーム当たりの同期化されたサブフレームの第２のサブフレーム割り当てパターンと等しいか否かを示す。第１の基地局の周辺に存在する一組の基地局は無線端末に直接送信していないが、セル再選択又はハンドオーバの候補である。
【００３７】
方法の拡張では、第２のステップ５０２において、第１のサブフレーム割り当てパターンが第２のサブフレーム割り当てパターンと等しいことを第１のビットが示す場合、第１のサブフレーム割り当てパターンに従って同期化された全てのラジオフレームのサブフレームを除外することで、無線端末は第１の基地局の周辺に存在する一組の基地局のチャネル品質の第１のより正確な測定を開始する。
【００３８】
図６は、同期化されたマルチメディア・ブロードキャスト／マルチキャスト送信に適応される基地局でのリソース割り当てシグナリング方法を表す。その方法は、基地局が、ラジオフレーム当たりの同期化されたサブフレームのサブフレーム割り当てパターン上に情報を備える第１の信号情報ブロックを定期的に送信する第１のステップ６０１を備える。第２のステップ６０２において、無線端末は、第１の信号情報ブロックによって送信される情報に従って同期化された全てのラジオフレームのサブフレームを除外することで、チャネル品質のより正確な測定を開始する。
【００３９】
最後に、第３のステップ６０３において、基地局は、無線端末へ第２の信号情報ブロックを定期的に送信する。第２の情報ブロックは、事前決定された反復周期内に、同期化されたサブフレームを載せているラジオフレームの割り当てパターン上に情報を備える。第１の情報ブロックは第２の情報ブロックよりも頻繁に送信される。同期化されたサブフレームは第１の情報ブロックの情報に従ってラジオフレーム内に割り当てられる。
【図１】
2011525345.tif 000003
【図２】
2011525345.tif 000004
【図３】
2011525345.tif 000005
【図４】
2011525345.tif 000006
【図５】
2011525345.tif 000007
【図６】
2011525345.tif 000008
【国際調査報告】
2011525345.tif 000009
2011525345.tif 000010
2011525345.tif 000011